(57)【要約】【課題】螺旋階段を簡略な構造として軽量化し、シースルー感を増すなど、設計の選択の幅を広げる。階段の外周側の作業を大幅に削減して作業の安全を確保する。【解決手段】  上支持部材１、下支持部材６を高さＨ０で水平に配置し、基端２、７側に固定板１２を固定し、先端３、８側に摺り用の支柱２５の下部を固定して、階段ユニット３０とする。センターポール３２を、螺旋階段設置位置４２に立設し、踊り場４３に固定する。センターポール３２に順次、階段ユニット３０、３０の固定板１２に固定する。下側の階段ユニット３０の上支持部材１と、上段側の階段ユニット３０の下支持部材６とに、段板３７を架設固定する。また、手摺り用の支柱２５の上端２６に手摺り用の笠木３９、３９を取り付けて、螺旋階段４０とする。【選択図】図１
2007126821.tif 000002
【特許請求の範囲】
【請求項１】
センターポールの廻りに階段を構築する螺旋階段の構築方法において、以下のように構成することを特徴とした螺旋階段の構築方法。
(1)  センターポールに、先端に手摺り用の支柱を固定した階段ユニットの基端側を階段状に順次固定する。
(2) 上下に位置する階段ユニットに段板を架設固定する。
(3) (2)と同時に又は前後して、手摺り用の支柱に手摺り笠木を固定する。
【請求項２】
センターポールの廻りに段板を構築する螺旋階段において、以下のように構成することを特徴とした螺旋階段。
(1)センターポールに、手摺り用の支柱を取り付けた階段ユニットを順次固定する。
(2)上段側の階段ユニットの下支持部材と下段側の階段ユニットの上支持部材とに１段分の段板を架設固定する。
(3)手摺り用の支柱に手摺り笠木を固定する。
【請求項３】
センターポールの周囲に取り付けて螺旋階段を構築する為の階段ユニットであって、以下の構成としたことを特徴とする階段ユニット。
(1) 段板を支持するユニット基体の基端に前記センターポールに固定する為の固定部を形成し、先端に手摺り用支柱を形成する。
(2)前記ユニット基体は、上部に上方に位置する段板の下側を支持する上支持部を形成し、下部に下方に位置する段板の上側を支持する下支持部を形成する。
(3) 前記上支持部と下支持部との高さを階段の蹴上げ高さとした。
【請求項４】
ユニット基体は、基端部にセンターポールとの固定手段を有する基端固定板を形成し、該基端固定板の上端部で上段側に第１切り欠きを形成し、前記基端固定板の下端部で下段側に第２切り欠きを形成したことを特徴とする請求項３記載の階段ユニット。
【発明の詳細な説明】
【技術分野】
【０００１】
この発明は、センターポールの周りに段板を配置してなる螺旋階段及びこの螺旋階段の構築方法並びに、この螺旋階段または螺旋階段の構築方法に使用する階段ユニットに関する。
【背景技術】
【０００２】
従来、一段毎に階段ユニットをセンターポールに固定し、階段ユニットには一段分の段板を有し、あるいは階段ユニットを固定した後に、その階段ユニットに１つの段板を固定していた。また、手摺りは、階段ユニットを構築した後に、階段ユニットに固定していた。
【特許文献１】特開平１０−８７０８
【特許文献２】特開２００４−１６９３８３
【発明の開示】
【発明が解決しようとする課題】
【０００３】
１段分の階段ユニットに一段分の段板が固定されていたので、階段ユニットの剛性・強度を高める必要があり、軽量化が図れなかった。また、手摺り支柱を階段ユニット又は階段ユニットに固定された段板に固定する作業を要し、階段ユニット又は段板の構造が複雑になり、手摺り取付作業が煩雑になる問題点があった。
【課題を解決するための手段】
【０００４】
然るに、この発明は、上下の階段ユニットに段板を架設し、また階段ユニットに予め手摺り用の支柱を固定したので、前記問題点を解決した。
【０００５】
即ちこの発明は、センターポールの廻りに階段を構築する螺旋階段の構築方法において、以下のように構成することを特徴とした螺旋階段の構築方法である。  
(1)  センターポールに、先端に手摺り用の支柱を固定した階段ユニットの基端側を階段状に順次固定する。  
(2) 上下に位置する階段ユニットに段板を架設固定する。  
(3) (2)と同時に又は前後して、手摺り用の支柱に手摺り笠木を固定する。
【０００６】
また、他の発明は、センターポールの廻りに段板を構築する螺旋階段において、以下のように構成することを特徴とした螺旋階段である。  
(1)センターポールに、手摺り用の支柱を取り付けた階段ユニットを順次固定する。  
(2)上段側の階段ユニットの下支持部材と下段側の階段ユニットの上支持部材とに１段分の段板を架設固定する。  
(3)手摺り用の支柱に手摺り笠木を固定する。
【０００７】
また、他の発明は、センターポールの周囲に取り付けて螺旋階段を構築する為の階段ユニットであって、以下の構成としたことを特徴とする階段ユニットである。  
(1) 段板を支持するユニット基体の基端に前記センターポールに固定する為の固定部を形成し、先端に手摺り用支柱を形成する。  
(2)前記ユニット基体は、上部に上方に位置する段板の下側を支持する上支持部を形成し、下部に下方に位置する段板の上側を支持する下支持部を形成する。  
(3) 前記上支持部と下支持部との高さを階段の蹴上げ高さとした。
【０００８】
また、前記において、ユニット基体は、基端部にセンターポールとの固定手段を有する基端固定板を形成し、該基端固定板の上端部で上段側に第１切り欠きを形成し、前記基端固定板の下端部で下段側に第２切り欠きを形成したことを特徴とする階段ユニットである。
【発明の効果】
【０００９】
(1)  この発明の階段ユニットでは、蹴上げ高さに合わせて配置した上下支持部を有し、かつセンターポールに固定する為の固定部と、手摺り支柱とで階段ユニットを構成したので、階段ユニットを蹴上げ高さに合わせて上下をずらして、センターポールに固定するだけで、上に位置する階段ユニットの下支持部と、下に位置する階段ユニットの上支持部とがほぼ同一高さで扇形を構成でき、両支持部材間に段板を架設固定できる。従って、２つの階段ユニットで１つの段板を支持するので、１つの階段ユニットを簡略な構造とし、軽量化できる効果がある。
【００１０】
従って、螺旋階段の施工を簡略化して、期間を短縮して効率的施工できる。また、支柱で段板を吊っていないので、支柱の数や強度を軽減できるなど、総体として部材を細くしあるいは部材を少なくできる。よって、狭いスペース（例えば１坪のスペース）に階段を設計でき、あるいは螺旋階段のシースルー感を増すことができるなど、設計上のデザイン選択の幅を広げることができる。
【００１１】
(2) また、この発明の階段ユニットでは、階段ユニットに予め手摺り用の支柱を固定したので、手摺りの取付作業を簡略化できる効果がある。とりわけ、手摺りは階段の外周側に位置するので、危険が伴うので、作業の安全も図ることができる。
【発明を実施するための最良の形態】
【００１２】
段板３７を受ける上支持部材１、下支持部材６とを、蹴上げ高さＨ０で水平に配置し、上下支持部材１、６の基端２、７側に、センターポール３２に固定する為の固定板１２を固定し、先端３、８側に、丸パイプからなる手摺り用の支柱２５の下部を固定して、階段ユニット３０とする（図２、図３（ａ））。
【００１３】
次ぎに、以下の手順で、螺旋階段４０を構築する。  
(1)  センターポール３２を、螺旋階段設置位置４２に立設し、踊り場４３に固定する（図１（ａ）（ｂ））。  
(2)  センターポール３２に順次、階段ユニット３０、３０を配置し、階段ユニット３０の固定板１２をセンターポール３２に固定する。  
(3)  下側の階段ユニット３０Ｂの上支持部材１と、上段側の階段ユニット３０Ａの下支持部材６とに、部分扇形の段板を、架設固定する（図４）。  
(4)  (3) と同時に又は前後して、手摺り用の支柱２５の上端２６に手摺り用の笠木３９、３９を取り付けて、螺旋階段４０とする（図１）。
【実施例１】
【００１４】
図面に基づいて、この発明の螺旋階段用のユニット３０の実施例を説明する。
【００１５】
［１］階段ユニット３０の構成
【００１６】
段板３７を受ける階段幅Ｌ０に応じた長さを有する上支持部材１と下支持部材６とを、蹴上げ高さＨ０を設けて、水平に並列して配置し、上下支持部材１、６の基端２、７側に、センターポール３２に固定する為の幅Ｄ２の固定板１２を固定する。また、上下支持部材１、６の先端３、８側に、丸パイプからなる手摺り用の支柱２５の下部を固定する（図２）。
【００１７】
固定板１２の下端１６は下支持部材６の上面６ａに載置され、上支持板１の基端２は固定板１２の表面に当設固定してある。手摺り用の支柱２５の下端２７は、下支持部材６の上面６ａに載置固定され、上支持部材１の先端４は、手摺り用の支柱２５の側面に沿って当設固定されている（図３（ｂ））。
【００１８】
上支持部材１は、幅Ｄ１の帯板状に形成され、先端４側が幅細に形成され、先端４は支柱２５の側面に沿った円弧状となっている。また、上支持部材１の基端２側は、一縁（上段側の階段ユニットが位置する側）が斜めに切り欠きされテーパー３部が形成されている（図３（ｂ）（ｄ））。
【００１９】
また、下支持部材６は、上支持部材１と同じ幅Ｄ１の帯板状に形成され、先端９側は、支柱２５の外面より半径が大きな円弧状に形成され、基端７側の他縁（下段側の階段ユニットが位置する側）が斜めに切り欠きされ、テーパー部８が形成され、基端７はセンターポール３２の側面３３に合わせて円弧状に形成されている（図３（ｃ）（ｅ））。
【００２０】
固定板１２の上縁１３は上支持板１の上面１ａより上方に突出した突出部１４を形成し、突出部１４に、センターポール３２に固定する為の貫通孔１８を穿設してある。また、固定板１２の下端１６側で下支持板６付近に、センターポール３２に固定する為の貫通孔１９を穿設してある（図２（ｂ）、図３（ｂ）（ｃ））。
【００２１】
また、固定板１２の突出部１４で一縁（上段側の階段ユニットが位置する側）には、縦長長方形状の上係止切り欠き１５が形成され、固定板１２の下端１６側（下支持板６の上面６ａ付近）の他縁（下段側の階段ユニットが位置する側）には縦長長方形状の下係止切り欠き１７が形成されている。上係止切り欠き１５と貫通孔１８、下係止切り欠き１７と貫通孔１９とは、夫々高さ方向で中心がほぼ一致するように、対応して配置されている（図２（ｂ）、図４（ｂ））。
【００２２】
上下支持部材１、６、固定板１２、手摺り支柱２５で囲まれた枠内に、丸棒からなる筋交い状の補強材２１を架設固定する。補強材２１の基端（上端）２２は、上支持部材１の基端２側の下面１ｂから若干距離を空けて、固定板１２に固定されている。また、補強材２１の先端（下端）２３は、下支持部材６の先端９側の上面６ａから距離Ｌ２だけ空けて、手摺り支柱２５に固定される（図２（ａ））。距離Ｌ２は、段板３７を固定する為のスペースであり、下支持部材６と段板３７との固定に支障がなければ、下支持部材６に近づけることもできる（図示していない）。また、上支持部材１と補強材２１とに距離を空けてあるので（接触させていないので）、すみ肉溶接作業が容易にできる。しかし、他の溶接が可能であれば、接触させることもできる（図示していない）。
【００２３】
以上のようにして、この発明螺旋階段用の階段ユニット３０を構成する（図２、図３（ａ））。
【００２４】
［２］他の実施例
【００２５】
(1) 前記実施例において、筋交い状の補強材２１を固定したが、上下支持部材１、６、固定板１２、手摺り支柱２５で囲まれた枠内の剛性を高める部材であれば、棒状以外の他の構造とるうこともできる。また、上下支持部材１、６、固定板１２、手摺り支柱２５で囲まれた枠内が十分な剛性を保持できれば、補強材２１は省略することもできる。
【００２６】
(2) 手摺り用の支柱２５は、一体に形成したが、上下支持部材１、６、固定板１２、手摺り支柱２５で囲まれた枠を構成する支柱下部と、手摺りの笠木３９を固定する支柱上部とに分割して、支柱下部と支柱上部とを接合して支柱２５を構成することもできる（図示していない）。
【００２７】
(3) 前記実施例において、上下支持部材１、６にテーパー部３、８を夫々形成したので、実施例２で説明するように、上下に隣接する階段ユニット３０、３０で、幅Ｄ１の大きな上下支持部材１、６を使用しても、テーパー部２、８を突き合わせて、センターポール３２付近にでも納めることができる。しかし、幅Ｄ１の狭い上下支持部材１、６で充分な強度を有すれば、テーパー部２、８を省略することもできる（図示していない）。
【００２８】
(4) また、前記実施例において、固定板１２に係止切り欠き１５、１７を形成したので、実施例２で説明するように、上下に隣接する階段ユニット３０、３０で、幅Ｄ２の大きな固定板１２を使用しても、上下の係止切り欠き１５、１７を互いに係止して、センターポール３２の狭い側面３３を有効活用することができるが、幅Ｄ２が狭い固定板１２で充分な強度を有すれば、上下の係止切り欠き１５、１７を省略することもできる（図示していない）。
【実施例２】
【００２９】
次ぎに、前記実施例の階段ユニット３０の使用、即ちこの発明の螺旋階段４０、螺旋階段４０の構築方法について説明する。
【００３０】
［１］螺旋階段４０の構築方法
【００３１】
(1) 踊り場（次階の床）４３を構築する。階段ユニット３０の固定板１２の貫通孔１８、１９に合わせてボルト孔（図示していない）を穿設したセンターポール３２を、螺旋階段設置位置４２に立設し、踊り場４３に固定する（図１（ａ）（ｂ））。
【００３２】
(2) センターポール３２の最下段に階段ユニット３０を配置し、階段ユニット３０の固定板１２の貫通孔１８、１９をセンターポール３２のボルト孔に一致させ、固定板１２からボルト３５、３５を打ち、センターポール３２に階段ユニット３０を仮止めする。
【００３３】
(3) 続いて、最下段の次段の階段ユニット３０を、センターポール３２に配置し、同様にボルト３５、３５を打ち、階段ユニット３０を仮止めする。
【００３４】
この際、下側の階段ユニット３０Ｂの固定板１２Ｂの上係止切り欠き１５に、上段側の階段ユニット３０Ａの固定板１２Ａの下係止切り欠き１７を、係止した状態となっている（図４（ｂ））。従って、下段側の階段ユニット３０Ｂの固定板１２Ｂの貫通孔１８と上側の階段ユニット３０Ａの固定板１２Ａの貫通孔１９とが横方向に並び、ボルト３５の頭部３６も並ぶことになる（図４（ｂ））。
【００３５】
また、この際、下側の階段ユニット３０Ｂの上支持部材１のテーパー部３と、上段側の階段ユニット３０Ａの下支持部材６のテーパー部８とが、当接して、両支持部材１、６は同一平面に位置する。従って、幅Ｄ１の大きな支持部材１、６を使用した場合であっても、センターポール３２の側面３３付近で両部材１、６が上下に重なること無く、収めることができる（図５）。
【００３６】
(4) 以下、同様にして、上方に向けて順に、各階段ユニット３０、３０を固定する。全部の階段ユニット３０、３０が固定され、支障なく配置されているかを確認する。確認はセンターポール３２及び踊り場４３で行う。その後に、仮止めのボルト３５、３５を本締めする。
【００３７】
(5) 続いて、重なった下側の階段ユニット３０Ｂの上支持部材１と、上段側の階段ユニット３０Ａの下支持部材６とに、部分扇形の段板（厚さＴ）を、載置架設する（図４）。続いて、両支持部材１、６の下面１ｂ、６ｂ側から、透孔５、５、透孔１０、１０から段板３７に向けてビス類を打ち込み、階段ユニット３０Ａ、３０Ｂに段板３７を固定する。
【００３８】
この際、段板３７の基端３８（扇形の要の側）の下面は、固定板１２から露出したボルト３５の頭部３６を収容する収容部が形成されている（図示していない）。従って、外側にボルトが露出することがないので、外観上の見栄えが良い。
【００３９】
また、段板３７の構造は、必要強度・剛性を有する厚さＴで形成できれば、金属板を折り曲げた箱状、金属製・木製・樹脂製などの盤状でも可能である。いずれの場合でも、ボルト３５の頭部３６を収容する収容部、上下支持部材１、６のビスを受ける部分が形成されている。
【００４０】
また、この際、段板３７の先端３８ａ側は、上段側の階段ユニット３０Ａの補強材２１の長さＬ２の間隙に収容されるので、組み立て作業に支障が無いし、また、歩行にも支障がない。
【００４１】
(6) 続いて、手摺り用の支柱２５の上端２６の突部２８に手摺り用の笠木３９、３９を取り付けて、螺旋階段４０が完成する（図１）。
【００４２】
［２］他の実施例
【００４３】
(1) 前記実施例において、階段ユニット３０は、センターポール３２の下段側から取り付けたが、上段側（踊り場４３側）から取り付けることもできる。また、階段ユニット３０は、上下の階段ユニット３０Ａ、３０Ｂとは関係なく、単独でセンターポール３２に固定されるので、任意の段又は複数段から同時に、取り付け作業を開始することもできる。
【００４４】
(2) また、前記実施例において、段板３７は、総ての階段ユニット３０、３０が固定された後に取り付けることが望ましいが、上下に隣接する階段ユニット３０Ｂ、３０Ａが取付完了し、下側の階段ユニット３０Ｂの上支持部材１と、上段側の階段ユニット３０Ａの下支持部材６とが、同一平面に配置された状態となれば、当該段で、段板３７を取り付けることもできる。従って、作業人数に応じて作業手順の選択ができ、作業効率を高め短時間での階段構築が可能となる。
【００４５】
(3) また、前記実施例において、センターポール３２を立てた後に、階段ユニット３０、３０を固定したが、予めセンターポール３２に全部又は一部の階段ユニット３０、３０を取り付けた状態で、センターポール３２を螺旋階段設置位置４２に立設することもできる（図示していない）。
【００４６】
(4) また、前記実施例において、上下の階段ユニット３０Ａ、３０Ｂで、上側の階段ユニット３０Ａの下支持部材６と下側の階段ユニット３０Ｂの上支持部材１とを同一平面状に配置したが、異なる高さで配置することもできる（図示していない）。この場合には、異なる高さとなった上下支持部材１、６に合わせて、段板３７の底面構造とする（図示していない）。
【図面の簡単な説明】
【００４７】
【図１】この発明の螺旋階段で、（ａ）は平面図、（ｂ）は正面図である。
【図２】この発明の階段ユニットで、（ａ）は正面図、（ｂ）は右側面図、（ｃ）は左側面図、（ｄ）は平面図である。
【図３】（ａ）は平面図、（ｂ）は図２（ａ）のＡ−Ａ拡大断面、（ｃ）は同じくＢ−Ｂ拡大断面図、（ｄ）は（ｂ）の一部拡大図、（ｅ）は（ｃ）の一部拡大図である。
【図４】（ａ）この発明の階段ユニットをセンターポールに取り付けた状態の横断面図、（ｂ）は（ａ）のＣ−Ｃ線における拡大断面図である。
【図５】図４（ｂ）のＤ−Ｄ線における一部拡大断面図である。
【符号の説明】
【００４８】
１  上支持部材
２  上支持部材の基端
３  上支持部材のテーパー部
４  上支持部材の先端
５  上支持部材の透孔
６  下支持部材
７  下支持部材の基端
８  下支持部材のテーパー部
９  下支持部材の先端
１０  下支持部材の透孔
１２  固定板
１３  固定板の上端
１４  固定板の突出部
１５  固定板の上係止切り欠き
１６  固定板の下端
１７  固定板の下係止切り欠き
１８  固定板の貫通孔（上）
１９  固定板の貫通孔（下）
２１  補強材
２２  補強材の基端
２３  補強材の先端
２５  手摺りの支柱
２６  支柱の上端
２７  支柱の下端
２８  支柱の突部
３０  階段ユニット
３２  センターポール
３３  センターポールの側面
３５  ボルト
３６  ボルトの頭部
３７  段板
３８  段板の基端
３８ａ  段板の先端
３９  笠木
４０  螺旋階段
４２  螺旋階段設置位置
４３  踊り場（次階床）
【図１】
2007126821.tif 000003
【図２】
2007126821.tif 000004
【図３】
2007126821.tif 000005
【図４】
2007126821.tif 000006
【図５】
2007126821.tif 000007